【事件の表示】
　特許第２７２９６５５号「フィルタプレスの濾布巻取り方法及びその装置」の請求項１ないし４に係る特許に対する特許異議の申立てについて、次のとおり決定する。
【結論】
　訂正を認める。
　特許第２７２９６５５号の請求項１ないし４に係る特許を維持する。
【理由】
Ｉ．本件手続の経緯
　特許第２７２９６５５号の発明（平成１年３月２４日特許出願、平成９年１２月１９日設定登録）の特許に対し、異議申立人、株式会社栗田機械製作所よ特特許異議の申立てがなされ、当審において、取消理由を通知したところ、平成１１年３月１０日に訂正請求がなされたものである。
ＩＩ．訂正の適否についての判断
１．訂正の内容
　特許権者が求めている訂正の内容は、特許明細書を訂正明細書のとおりに訂正しようとするものである。すなわち、
（１）特許請求の範囲の請求項１の訂正
　▲１▼特許明細書１頁６行の「まとめて」を「重ねて」と訂正する。
　▲２▼同明細書１頁７〜９行の「開枠時に、濾布緊張手段によって、両濾布のうち少なくとも一方の濾布に張力を与え、該濾布の」を「上記巻取りロールは巻取り方向に付勢されていて、開枠時にこの巻取りロールに巻取られる上記両濾布の一方の濾布に濾布緊張手段によって張力を与えると共に他方の濾布は濾布緊張手段による張力を与えることなく巻取ることで、上記一対の濾布の」と訂正する。
（２）特許請求の範囲の請求項２の訂正
　▲１▼同明細書１頁１１行の「まとめて」を「重ねて」と訂正する。
　▲２▼同明細書１頁１３〜１６行の「に巻取られる２枚の濾布のうち少なくとも一方の濾布を可動ロールに巻掛け、かつ該可動ロールを、上記濾布に張力を与える方向に移動可能に設けた」を
「は巻取り方向に付勢されていて、この巻取りロールに巻取られる２枚の濾布の一方の濾布を可動ロールに巻き掛けて該可動ロールを上記濾布に張力を与える方向に移動可能に設け、他方の濾布を固定保持されたりターンロールに巻き掛けるようにした」と訂正する。
（３）特許請求の範囲の請求項３の訂正
　▲１▼同明細書１頁１８行の「まとめて」を「重ねて」と訂正する。
　▲２▼同明細書２頁１〜２行の「上記２枚の濾布のうち少なくとも一方の濾布であって、」を「上記巻取リロールは巻取り方向に付勢されていて、上記２枚の濾布の一方の濾布であって」と訂正する。
　▲３▼同明細書２頁第４行の「設けた」を「設けると共に、他方の濾布には弾性部材を設けることなく巻取るようにした」と訂正する。
（４）発明の詳細な説明の訂正
　▲１▼同明細書の第４頁第２〜３行の「一対の濾布のうち少なくとも一方の濾布に張力を与え、該濾布の」を「一対の濾布の一方の濾布に濾布緊張手段によって張力を与えると共に他方の濾布は濾布緊張手段による張力を与えることなく巻取ることで、一対の濾布の」と訂正する。
　▲２▼同明細書の第４頁第５〜９行の「巻取りロールに巻取られる２枚の濾布のうち少なくとも一方の濾布を可動ロールに巻掛け、かつ該可動ロールを、上記濾布に張力を与える方向に移動可能に設けた」を「巻取りロールが巻取り方向に付勢されていて、この巻取りロールに巻取られる２枚の濾布の一方の濾布を可動ロールに巻き掛けて該可動ロールを上記濾布に張力を与える方向に移動可能に設け、他方の濾布を固定保持されたリターンロールに巻き掛けるようにした」と訂正する。
　▲３▼同明細書の第４頁第１１行〜１３行の「２枚の濾布のうち一方の濾布であって、濾板の正規濾過面に接する部分の上側または下側の濾布に、伸縮可能な弾性部材を設けた」を「巻取りロールは巻取り方向に付勢されていて、２枚の濾布の一方の濾布であって濾板の正規濾過面に接する部分の上側または下側の濾布に伸縮可能な弾性部材を設けると共に、他方の濾布には弾性部材を設けることなく巻取るようにした」と訂正する。
２．訂正の目的の適否及び拡張・変更の存否
　上記（１）▲１▼、（２）▲１▼及び（３）▲１▼の訂正は、請求項１、２及び３の「まとめて」を「重ねて」に限定しようとするものであり、この「重ねて」は特許明細書６頁１２〜１８行、７頁１４〜１６行及び第１図に開示されている。
　上記（１）▲２▼の訂正は、請求項１の「巻取りロール」を「一倦取り方向に付勢されてい」るものに、「濾布の」巻き取りを「両濾布の一方の濾布に濾布緊張手段によって張力を与えると共に他方の濾布は濾布緊張手段による張力を与えることなく巻取ること」に限定しようとするものであり、「巻取りロールは巻取り方向に付勢されていて」は特許明細書の６頁１７〜１８行に記載されており、また、「両濾布の一方の濾布に濾布緊張手段によって張力を与えると共に他方の濾布は濾布緊張手段による張力を与えることなく巻取ること」は特許明細書の７頁１〜９行、７頁１７行〜８頁３行に記載されている。
　上記（２）▲２▼の訂正は、請求項２の「巻取りロール」を「巻取り方向に付勢されてい」るものに、「濾布の」巻き取りを「一方の濾布を可動ロールに巻き掛けて該可動ロールを上記濾布に張力を与える方向に移動可能に設け、他方の濾布を固定保持されたリターンロールに巻き掛けるようにした」に限定しようとするものであり、「巻取りロールは巻取り方向に付勢されていて」は特許明細書の６頁１７〜１８行に記載されており、「一方の濾布を可動ロールに巻き掛けて該可動ロールを上記濾布に張力を与える方向に移動可能に設け、他方の濾布を固定保持されたリターンロールに巻き掛けるようにした」は特許明細書の７頁１〜９行、７頁１７行〜８頁３行に記載されている。
　上記（３）▲２▼の訂正は、請求項３の「巻取りロール」を「巻取り方向に付勢されてい」るものに限定し、さらに、「上記２枚の濾布のうち一方の濾布であって、」から「少なくとも」を削除して構成を具体的にするものであり、このうち「巻取りロールは巻取り方向に付勢されていて」は特許明細書の６頁１７〜１８行に記載されている。
　上記（３）▲３▼の訂正は、請求項３の「設けた」を「設けると共に、他方の濾布には弾性部材を設けることなく巻取るようにした」に限定しようとするものであり、また、［他方の濾布には弾性部材を設けることなく巻取るようにした」は特許明細書の７頁１〜９行、８頁１２行〜１０頁８行に記載されている。
　したがって、上記（１）▲１▼ないし（３）▲３▼の訂正は、特許請求の範囲の減縮を目的とするものに該当する。
　また、（４）▲１▼ないし▲３▼の訂正は、発明の詳細な説明の記載を訂正後の特許請求の範囲の記載と整合させるためのものであるから、明りようでない記載の釈明を目的とするものに該当する。
　そして、上記（１）▲１▼ないし（４）▲３▼の訂正は、願書に添付した明細書又は図面に記載した事項の範囲内においてするものであって新規事項を追加するものでなく、かつ、実質上特許請求の範囲を拡張し、又は変更するものではない。
３．独立特許要件の判断
（訂正明細書の発明）
　訂正明細書の請求項１ないし４に係る発明（以下、それぞれの発明を「訂正明細書の発明１」、「訂正明細書の発明２」、「訂正明細書の発明３」、「訂正明細書の発明４」という）は、訂正明細書の特許請求の範囲の請求項１ないし４に記載された次の事項により特定されるものである。
　「（１）開枠時に、一対の濾布を１個の巻取りロールに重ねて巻取るフィルタプレスの濾布巻取り方法において、上記巻取リロールは巻取り方向に付勢されていて、開枠時にこの巻取りロールに巻取られる上記両濾布の一方の濾布に濾布緊張手段によって張力を与えると共に他方のロールは濾布緊張手段による張力を与えることなく巻取ることで、上記一対の濾布のたるみを防止することを特徴とするフィルタプレスの濾布巻取り方法。
　（２）一対の濾布を重ねて１個の巻取りロールに巻取るように構成したフィルタプレスの濾布巻取り装置において、上記巻取リロールは巻取り方向に付勢されていて、この巻取りロールに巻取られる２枚の濾布の一方の濾布を可動ロールに巻き掛けて該可動ロールを上記憶布に張力を与える方向に移動可能に設け、他方の濾布を固定保持されたリターンロールに巻き掛けるようにしたことを特徴とするフィルタプレスの濾布巻取り装置。
　（３）一対の濾布を重ねて１個の巻取りロールに巻取るように構成したフィルタプレスの濾布巻取り装置において、上記巻取リロールは巻取り方向に付勢されていて、上記２枚の濾布の一方の濾布であって濾板の正規濾過面に接する部分の上側または下側の濾布に伸縮可能な弾性部材を設けると共に、他方の濾布には弾性部材を設けることなく巻取るようにしたことを特徴とするフィルタプレスの濾布巻取り装置。
　（４）上記弾性部材と濾布とを剛性結合帯で連結したことを特徴とする請求項３記載のフィルタプレスの濾布巻取り装置。」
（引用刊行物）
　当審において通知した取消理由で引用した引用刊行物１（特開昭６２−２０１６１２号公報）には、次の発明が記載されていると認められる（括弧内に、訂正明細書の発明１において対応する構成を記す）。
　開枠時に、一対の▲戸▼布１６を１個の▲戸▼布巻取りロール２０（巻取りロール）に重ねて巻取るフィルタプレスの▲戸▼布巻取り方法において、上記▲戸▼布巻取リロール２０は巻取り方向に駆動されていて開枠時にこの▲戸▼布巻取リロール２０に巻取られる上記両▲戸▼布１６，１６に▲戸▼布案内棒２１，２１（濾布緊張手段）によって張力を与えて巻取ることで、上記一対の▲戸▼布１６，１６のたるみを防止するフィルタプレスの▲戸▼布巻取り方法。
　一対の▲戸▼布１６，１６を重ねて１個の▲戸▼布巻取リロール２（巻取りロール）に巻取るように構成したフィルタプレスの▲戸▼布巻取り装置において、１個の上記▲戸▼布巻取リロール２は巻取り方向に駆動されており、▲戸▼布１６，１６の上端を取付けた▲戸▼布吊り棒１７とチェーン１５との間にばね４１を設けると共に、▲戸▼布巻取リロール２に巻取られる２枚の▲戸▼布１６，１６を移動する▲戸▼布案内棒２１，２１（可動ロール）に巻き掛けるようにしたフィルタプレスの▲戸▼布巻取り装置。
（対比・判断）
　訂正明細書の発明１について
　訂正明細書の発明１と引用刊行物１記載の発明とを比較すると、
　訂正明細書の発明１が、「巻取りロールは巻取り方向に付勢されていて、開枠時にこの巻取りロールに巻取られる上記両濾布の一方の濾布に濾布緊張手段によって張力を与えると共に他方のロールは濾布緊張手段による張力を与えることなく巻取る」のに対し、引用刊行物１記載の発明は、▲戸▼布巻取りロール２０は巻取り方向に駆動されていて、開枠時にこの▲戸▼布巻取リロール２０に巻取られる上記両▲戸▼布１６，１６に▲戸▼布案内棒２１，２１によって張力を与えて巻取る点
で両者は相違している。
　上記相違点を検討するに、当審において通知した取消理由で引用した引用刊行物２（特公昭５５−１８５２８号公報）には、単式フィルタプレスにおけるケーキの除去方法において、濾過布Ａ，Ｂを取付けたバー１２’を弾性体４１，４１…を介して紐状駆動媒体に連結されたバー１２に連結することが記載されており、また、引用刊行物３（特公昭５１−４３２２２号公報）には、フィルタプレスの▲戸▼布ユニットにおいて、▲戸▼布１８，１８の一端をバー３１に止着し、両側のチェーン１１，１１間１こ橋架された取付バー１７間を弾性体３２，３２，を介して連結することが記載されている。
　しかしながら、上記相違点である本件発明の構成、すなわち、巻取りロールを巻取り方向に付勢することにより、一方の濾布にのみ濾布緊張手段によって張力を与えて濾布を巻取る構成は、引用刊行物２及び３には記載されておらず、且つ、示唆されてもいない。
　そして、本件発明は訂正明細書記載の効果を奏するものである。
　したがって、訂正明細書の発明１が引用刊行物１に記載された発明であるとすることはできないし、引用刊行物１ないし３に記載された発明に基いて当業者が容易に発明をすることができたものとすることもできない。
　訂正明細書の発明２について
　訂正明細書の発明２と引用刊行物１記載の発明とを比較すると、
　訂正明細書の発明２が、「巻取りロールは巻取り方向に付勢されていて、この巻取りロールに巻取られる２枚の濾布の一方の濾布を可動ロールに巻き掛けて該可動ロールを上記濾布に張力を与える方向に移動可能に設け、他方の濾布を固定保持されたリターンロールに巻き掛ける」のに対し、引用刊行物１記載の発明記載の発明は、▲戸▼布巻取リロール２は巻取り方向に駆動されていて、この▲戸▼布巻取りロール２に巻取られる２枚の▲戸▼布１６，１６を▲戸▼布案内棒２１，２１に巻き掛けて該▲戸▼布案内棒２１，２１を上記▲戸▼布１６，１６に張力を与える方向に移動可能に設けている点
で両者は相違している。
　そして、上記訂正明細書の発明１についての相違点の検討で示した理由により、訂正明細書の発明２が引用刊行物１に記載された発明であるとすることはできないし、引用刊行物１ないし３に記載された発明に基いて当業者が容易に発明をすることができたものとすることもできない。
　訂正明細書の発明３について
　訂正明細書の発明３と引用刊行物１記載の発明とを比較すると、
　訂正明細書の発明３が、「巻取りロールは巻取り方向に付勢されていて、上記２枚の濾布の一方の濾布であって濾板の正規濾過面に接する部分の上側または下側の濾布に伸縮可能な弾性部材を設けると共に、他方の濾布には弾性部材を設けることなく巻取る」のに対し、引用刊行物１記載の発明は、▲戸▼布巻取リロール２は巻取り方向に駆動されていて、２枚の▲戸▼布１６，１６の上側にばね４１を設けると共に、▲戸▼布巻取りロール２に巻取られる２枚の▲戸▼布１６，１６に▲戸▼布案内棒２１，２１によって張力を与えて巻取る点
で両者は相違している。
　しかしながら、上記相違点である本件発明の構成、すなわち、巻取りロールは巻取り方向に付勢することにより、一方の濾布の上側または下側のみに濾布に伸縮可能な弾性部材を設けて濾布を巻取る構成は、引用刊行物２及び３には記載されておらず、且つ、示唆されてもいない。
　そして、本件発明は訂正明細書記載の効果を奏するものである。
　したがって、訂正明細書の発明３が引用刊行物１に記載された発明であるとすることはできないし、引用刊行物１ないし３に記載された発明に基いて当業者が容易に発明をすることができたものとすることもできない。
　訂正明細書の発明４について
　訂正明細書の発明４は、訂正明細書の発明３をさらに限定するものであるから、訂正明細書の発明４が引用刊行物１に記載された発明であるとすることはできないし、引用刊行物１ないし３に記載された発明に基いて当業者が容易に発明をすることができたものとすることもできない。
　したがって、訂正明細書の発明１ないし４は特許出願の際独立して特許を受けることができるものである。
４．むすび
　以上のとおりであるから、上記訂正は、特許法第１２０条の４第２項、同条第３項で準用する第１２６条第２ないし４項の規定に適合するので、当該訂正を認める。
ＩＩＩ．本件特許発明
　本件請求項１ないし４に係る発明は、上記ＩＩ．３．独立特許要件の判断における（訂正明細書の発明）に記載したとおりのものである。
ＩＶ．特許異議の申立てについて
１．異議申立て理由の概要
　本件請求項１ないし４に係る発明は、下記の甲第１号証に記載された発明であるから、あるいは、下記の甲第１ないし３号証に記載された発明に基いて当業者が容易に発明をすることができたものであるから、その特許は、特許法第２９条の規定に違反してされたものであり、取り消されるべきである。
　　　　　　　　　　　記
　甲第１号証：特開昭６２−２０１６１２号公報
　　　　　（上記ＩＩ．３．の引用刊行物１に相当）
　甲第２号証：特公昭５５−１８５２８号公報
　　　　　（上記ＩＩ．３．の引用刊行物２に相当）
　甲第３号証：特公昭５１−４３２２２号公報
　　　　　（上記ＩＩ．３．の引用刊行物３に相当）
２．当審の判断
　本件請求項１ないし４に係る発明は、上記ＩＩ．３．独立特許要件の判断における（対比・判断）に記載した理由により、甲第１号証に記載された発明であるすることはできないし、甲第１ないし３号証に記載された発明に基いて当業者が容易に発明をすることができたものとすることもできない。
　なお、異議申立人は、上申書で参考資料１（特開昭６２−１５４７１８号公報）を提出しているが、これはコンデンサ巻取機に関する発明であり、上記甲第１ないし３号証記載の発明とは、その産業分野を異にしており、甲第１ないし３号証記載の発明に、コンデンサ巻取機に関する参考資料１記載の発明を適用することは、当業者が容易にできることとは認められない。
３．むすび
　以上のとおりであるから、特許異議申立ての理由及び証拠方法によって、本件請求項１ないし４に係る発明の特許を取り消すことはできない。
　また、他に本件請求項１ないし４に係る発明の特許を取り消すべき理由を発見しない。
　よって、結論のとおり決定する。
【異議決定日】
平成１１年９月２７日（１９９９．９．２７）
【訂正の要旨】
　特許第２７２９６５５号発明の明細書を本件訂正請求書に添付した訂正明細書のとおりに訂正する、すなわち、特許請求の範囲の減縮を目的として下記（１）ないし（７）のとおりに訂正し、また、明りょうでない記載の釈明を目的として下記（８）ないし（１０）のとおりに訂正する。
（１）特許明細書１頁６行（特許公報第１欄３行）の「まとめて」を「重ねて」と訂正する。
（２）同明細書１頁７〜９行（特許公報第１欄４〜５行）の「開枠時に、濾布緊張手段によって、両濾布のうち少なくとも一方の濾布に張力を与え、該濾布の」を「上記巻取りロールは巻取り方向に付勢されていて、開枠時にこの巻取りロールに巻取られる上記両濾布の一方の濾布に濾布緊張手段によって張力を与えると共に他方の濾布は濾布緊張手段による張力を与えることなく巻取ることで、上記一対の濾布の」と訂正する。
（３）同明細書１頁１１行（特許公報第１欄８行）の「まとめて」を「重ねて」と訂正する。
（４）同明細書１頁１３〜１６行（特許公報第１欄１０〜１３行）の「に巻取られる２枚の濾布のうち少なくとも一方の濾布を可動ロールに巻掛け、かつ該可動ロールを、上記濾布に張力を与える方向に移動可能に設けた」を「は巻取り方向に付勢されていて、この巻取りロールに巻取られる２枚の濾布の一方の濾布を可動ロールに巻き掛けて該可動ロールを上記濾布に張力を与える方向に移動可能に設け、他方の濾布を固定保持されたりターンロールに巻き掛けるようにした」と訂正する。
（５）同明細書１頁１８行（特許公報第１欄１５行）の「まとめて」を「重ねて」と訂正する。
（６）同明細書２頁１〜２行（特許公報第２欄２〜３行）の［上記２枚の濾布のうち少なくとも一方の濾布であって、」を［上記巻取リロールは巻取り方向に付勢されていて、上記２枚の濾布の一方の濾布であって」と訂正する。
（７）同明細書２頁第４行（特許公報第２欄４行）の「設けた」を「設けると共に、他方の濾布には弾性部材を設けることなく巻取るようにした」と訂正する。
（８）同明細書の第４頁第２〜３行（特許公報第３欄２４〜２５行）の［一対の濾布のうち少なくとも一方の濾布に張力を与え、該濾布の」を「一対の濾布の一方の濾布に濾布緊張手段によって張力を与えると共に他方の濾布は濾布緊張手段による張力を与えることなく巻取ることで、一対の濾布の」と訂正する。
（９）同明細書の第４頁第５〜９行（特許公報第３欄２６〜２９行）の「巻取りロールに巻取られる２枚の濾布のうち少なくとも一方の濾布を可動ロールに巻掛け、かつ該可動ロールを、上記濾布に張力を与える方向に移動可能に設けた」を「巻取りロールが巻取り方向に付勢されていて、この巻取りロールに巻取られる２枚の濾布の一方の濾布を可動ロールに巻き掛けて該可動ロールを上記濾布に張力を与える方向に移動可能に設け、他方の濾布を固定保持されたリターンロールに巻き掛けるようにした」と訂正する。
（１０）同明細書の第４頁第１１行〜第１３行（特許公報第３欄２９〜３３行）の「２枚の濾布のうち一方の濾布であって、濾板の正規濾過面に接する部分の上側または下側の濾布に、伸縮可能な弾性部材を設けた」を「巻取りロールは巻取り方向に付勢されていて、２枚の濾布の一方の濾布であって濾板の正規濾過面に接する部分の上側または下側の濾布に伸縮可能な弾性部材を設けると共に、他方の濾布には弾性部材を設けることなく巻取るようにした」と訂正する。
（５４）【発明の名称】
フィルタプレスの濾布巻取り方法及びその装置
（５７）【特許請求の範囲】
（１）　開枠時に、一対の瀘布を１個の巻取りロールに重ねて巻取るフィルタプレスの濾布巻取り方法において、上記巻取りロールは巻取り方向に付勢されていて、開枠時にこの巻取りロールに巻取られる上記両濾布の一方の濾布に濾布緊張手段によって張力を与えると共に他方のロールは濾布緊張手段による張力を与えることなく巻取ることで、上記一対の濾布のたるみを防止することを特徴とするフィルタプレスの濾布巻取り方法。
（２）　一対の瀘布を重ねて１個の巻取りロールに巻取るように構成したフィルタプレスの濾布巻取り装置において、上記巻取りロールは巻取り方向に付勢されていて、この巻取りロールに巻取られる２枚の濾布の一方の濾布を可動ロールに巻き掛けて該可動ロールを上記濾布に張力を与える方向に移動可能に設け、他方の濾布を固定保持されたリターンロールに巻き掛けるようにしたことを特徴とするフィルタプレスの濾布巻取り装置。
（３）　一対の濾布を重ねて１個の巻取りロールに巻取るように構成したフィルタプレスの濾布巻取り装置において、上記巻取りロールは巻取り方向に付勢されていて、上記２枚の濾布の一方の瀘布であって濾板の正規濾過面に接する部分の上側または下側の濾布に伸縮可能な弾性部材を設けると共に、他方の濾布には弾性部材を設けることなく巻取るようにしたことを特徴とするフィルタプレスの濾布巻取り装置。
（４）　上記弾性部材と濾布とを剛性結合帯で連結したことを特徴とする請求項３記載のフィルタプレスの濾布巻取り装置。
【発明の詳細な説明】
［産業上の利用分野］
　本発明は、一対の慮布をまとめて１個の巻取りロールに巻取るフィルタプレスの濾布巻取り方法及びその装置に関する。
［従来の技術］
　従来、この種のフィルタプレスとしては、濾布の一端に連結した紐状体を正逆駆動される巻取手段に巻掛けて、濾布を出し入れ自在に支持する一方、濾布の他端を瀘枠の外側に軸承した瀘布巻取ローラに巻掛け、かつ該濾布巻取ローラを、軸装したコイルバネで常時巻取方向に付勢するようにし、フィルタプレスの開枠時に、濾布を濾布巻取ローラにバネ力で巻取るようにしたものが知られている（特開昭５３−３６７７２号公報参照）。
［発明が解決しようとする課題］
　しかしながら、上記従来のフィルタプレスにあっては、１つの巻取ローラに濾布を２枚まとめて巻取るため、下巻側の濾布が、上巻側の濾布に比べて濾布厚みの分だけ巻取り円周径が小さくなる。この結果、巻回数が増加するにつれてその差が大きくなり、下巻側の濾布にたるみが生じることになり、これによって、ケーキ剥離が円滑に行われなくなるという問題がある。
　本発明は、上記事情に鑑みてなされたもので、その目的とするところは、濾布２枚を１個の巻取りロールに重ね巻きする際に、下巻側の濾布にたるみが生じることを防止でき、濾布からのケーキの剥離を円骨にかつ確実に行うことができるフィルタプレスの巻取り方法及びその装置を提供することにある。
［課題を解決するための手段］
　上記目的を達成するために、本発明の濾布巻取り方法は、開枠時に、一対の濾布を１個の巻取りロールに重ねて巻取るフィルタプレスの濾布巻取り方法において、巻取りロールは巻取り方向に付勢されていて、開枠時にこの巻取りロールに巻取られる両濾布の一方の濾布に濾布緊張手段によって張力を与えると共に他方のロールは濾布緊張手段による張力を与えることなく巻取ることで、一対の濾布のたるみを防止することを特徴とする。
　また本発明の濾布巻取り装置は、一対の濾布を重ねて１個の巻取りロールに巻取るように構成したフィルタプレスの濾布巻取り装置において、巻取りロールは巻取り方向に付勢されていて、この巻取りロールに巻取られる２枚の濾布の一方の濾布を可動ロールに巻き掛けて該可動ロールを瀘布に張力を与える方向に移動可能に設け、他方の濾布を固定保持されたリターンロールに巻き掛けるようにしたことを特徴とする
　さらに、本発明の瀘布巻取り装置の第２のものは、一対の濾布を重ねて１個の巻取りロールに巻取るように構成したフィルタプレスの濾布巻取り装置において、巻取りロールは巻取り方向に付勢されていて、２枚の濾布の一方の瀘布であって濾板の正規濾過面に接する部分の上側または下側の濾布に伸縮可能な弾性部材を設けると共に、他方の瀘布には弾性部材を設けることなく巻取るようにしたことを特徴とする。
　さらにまた、この弾性部材と濾布とを剛性結合帯で連結したことに特徴を有する。
［作用］
　本発明の濾布巻取り方法及びその装置にあっては、開枠時、一対の濾布を１個の巻取りロールに巻取るに際して、巻取り円周径が小さい下巻側の濾布に常時張力を加えて、濾布がたるまないようする。
［実施例］
　以下、第１図ないし第１４図に基づいて本発明の実施例を説明する。
　第１図ないし第４図は本発明の第１実施例を示すもので、第１図は主要部の正面図、第２図は第１図のＩＩ−ＩＩ線に沿う断面図、第３図はフィルタプレスの正面図、第４図は同側面図である。これらの図において、符号１は固定フレームであり、この固定フレーム１と、締付シリンダ２を支持しているシリンダフレーム３との間には、水平に主梁４が設けられている。そして、上記固定フレーム１と上記締付シリンダ２のピストンロッドに連結されたルーズヘッド５との間には、複数の濾板６が、タイボルト７によって互いに連結された状態で、開閉可能に配置されており、これらの濾板６の両側部から突出して設けられたガイドローラ８は上記主梁４により案内支持されている。
　また、上記固定フレーム１とシリンダフレーム３の上面には、ブラケット９，１０を介して軸受１１に回転自在に支持された駆動軸１２が設けられており、この駆動軸１２の一端には減速機付電動機１３が連結されている。さらに、上記駆動軸１２は、濾板６上にブラケット１４を介して設けた軸受１１によって回転自在に支持されており、この駆動軸１２には複数の巻取りプーリ１５が装着されている。そして、これらの巻取りプーリ１５には、吊りひも１６が巻回されており、この吊りひも１６の下端には、サポートバー１７を介して２枚の濾布１８が連結されている。なお、第３図中符号１９は、バネである。
　上記濾布１８のうち、１つの濾板６の２つの正規濾過面にそれそれ対向する２つの濾布１８は、濾板６の下端に設けた下部ブラケット２２に回転自在に支持された一対のリターンロール２０，２１に巻掛けられ、かつ同じく下部ブラケット２２に回転自在にかつ常時巻取り方向に付勢された巻取りロール２３に巻回されている。また、上記下部ブラケット２２の下端には、洗浄パイプ２４が掛け渡されている。
　上記リターンロール２０は、第１図と第２図に示すように、下部ブラケット２２に上下方向に形成された長孔２５によって昇降可能にかつ回転自在に支持されており、上記巻取りロール２３に巻取られる濾布１８のうち下巻側の濾布１８の方向を下方から上方に転換させるものである。また、上記リターンロール２１は、上巻側の濾布１８の方向転換をなすためのもので、下部ブラケット２２に回転自在にかつ移動不能に支持されている。
　上記のように構成された濾布巻取り装置にあっては、開枠時に、従来同様、各濾板６間を開くと共に、減速機付電動機１３により、駆動軸１２に装着された巻取りプーリ１５を回転させて、吊りひも１６をほどき、濾布１８を下降させる。この濾布１８の下降に伴って、巻取り口ール２３が瀘布１８を２枚まとめて巻取っていく。
　この場合、巻取り口ール２３の巻取り操作に従って、上述した理由により、下巻側の濾布１８が徐々にたるんでいこうとするが、リターンロール２０がその自重により長孔２５に沿って下降していくことにより、上記たるみが円滑に解消されて、下巻側の濾布１８にも常に適正な張力が加わった状態が保持され、ケーキの剥離が確実に行われる。
　また、第５図と第６図に示すように、長孔２５の代わりに、一対のガイド部材２６，２７を下部ブラケット２２の内面に取付けて、ガイド溝２８を上下方向に形成してもよい。
　さらに、第７図と第８図に示すように、リターンロール２０の軸端を下部ブラケット２２に上下方同に形成した長孔２５から突出させ、かつ下部ブラケット２２の外面に該長孔２５に沿ってガイド部材２９を設けると共に、上記リターンロール２０の軸端に設けられた軸受３０と、ガイド部材２９の下方に設けられた保持具３１との間にスプリング３２を設置することにより、常時このスプリング３２によって、上記リターンロール２０を下方に付勢するようにしてもよい。
　さらにまた、第９図と第１０図に示すように、軸受３０とガイド部材２９の上方に位置する保持具３３との間に、スプリング３４を設け、このスプリング３４によってリターンロール２０を下方に付勢するようにしてもよい。
　なおまた、第１１図ないし第１３図に示すように、下巻側の瀘布１８の、上記瀘板６の正規濾過面の上側（あるいは下側）に、伸縮シート材あるいはこれより目のあらい伸縮メッシュ材のような帯状の弾性部材４０を設ける構成でもよい。この場合、弾性部材４０の両端には、濾布１８の幅と略等しい幅を持つ固定具（剛性結合帯）４１を取付け、この固定具４１により、濾布１８と弾性部材４０とを連結することによって、濾布１８のねじれ、歪み等を防止する。さらに、上記弾性部材４０としては、第１４図に示すように、梯子状の伸縮帯状体４２でもよい。
　なお、上記各実施例においては、巻取りロール２３を濾板６の下部に取付けた構成で説明したが、これに限らず、例えば、濾板６の上方に巻取りロール２３を設け、濾板６の下部に設けた一対のリターンロールで方向転換させられた一対の濾布１８を濾板６の一方の濾過面に沿って上方の巻取りロール２３に導く構成の場合には、下部のリターンロールは２個とも移動不能とし、上記巻取りロール２３に巻取る直前位置において（濾板６の上方位置において）、下巻側の濾布１８用に移動可能なリターンロールを設けてもよい。また、瀘板６の上方に巻取りロール２３を設けた構成の場合には、瀘板６の正規濾過面の下方に位置する部分の濾布１８に帯状の弾性部材４０を設けてもよい。
［発明の効果］
　以上説明したように、本発明は、開枠時、一対の濾布を１個の巻取りロールに巻取るに際して、巻取りの円周径が小さい下巻側の濾布に常時張力を加えることにより、濾布に生じるたるみを防止できて、濾布からのケーキの剥離を円滑に実施できる。
　また、瀘布緊張手段としては、移動可能な可動ロールに濾布を巻回するか、あるいは瀘布に伸縮可能な弾性部材を設けることにより、構造が簡単でかつ改造が容易な上に、製作し易く、長期にわたって安定的に機能するという優れた効果を奏する。
　さらに、上記弾性部材と濾布とを剛性結合帯によって連結することにより、瀘布のねじれ、歪み等を防止できて、濾過機能、ケーキ剥離操作に支障を来すことがない。
【図面の簡単な説明】
　第１図ないし第４図は本発明の第１実施例を示すもので、第１図は正面図、第２図は第１図のＩＩ−ＩＩ線に沿う断面図、第３図はフィルタプレスの正面図、第４図は同側面図、第５図と第６図は本発明の第２実施例を示すもので、第５図は正面図、第６図は第５図のＶＩ−ＶＩ線に沿う断面図、第７図と第８図は本発明の第３実施例を示すもので、第７図は正面図、第８図は第７図のＶＩＩＩ−ＶＩＩＩ線に沿う断面図、第９図と第１０図は本発明の第４実施例を示すもので、第９図は正面図、第１０図は第９図のＸ−Ｘ線に沿う断面図、第１１図ないし第１３図は本発明の第５実施例を示すもので、第１１図は正面図、第１２図は側面図、第１３図は連結部の説明図、第１４図は本発明の第６実施例を示す側面図である。
１８……濾布、
２０……リターンロール（可動ロール）、
２３…巻取りロール、
４０…弾性部材、
４１…固定具（剛性結合帯）、
４２…伸縮帯状体（弾性部材）。